(57)【要約】【課題】隣接するタンクを連結する連結管周りのスペースを、雨水を貯めるスペースとして有効に活用することができ、且つコンパクトにまとまった雨水貯水設備を提案する。【解決手段】本発明の雨水貯水設備は、樋を流れる雨水が貯められる雨水貯水設備であって、複数の貯水タンク１と、隣接する２つの貯水タンク１を連結する連結管２と、を備える。貯水タンク１は、その外表面からなる当接面５を有し、この当接面５に連通孔６が形成される。そして、この雨水貯水設備は、隣接する２つの貯水タンク１の連通孔６に連結管２が挿入され、当接面５同士が当接された状態で、一方の貯水タンク１内に連結管２の軸方向の一端側部分が収納されるように設けている。そして、この雨水貯水設備は、前記連結状態で、他方の貯水タンク１内に連結管２の軸方向の残りの他端側部分が収納されるように設けている。【選択図】図１
2014221974.tif 000002
【特許請求の範囲】
【請求項１】
樋を流れる雨水が貯められる雨水貯水設備であって、
複数の貯水タンクと、隣接する２つの前記貯水タンクを連結する連結管と、を備え、
前記貯水タンクは、
その外表面からなる当接面を有し、この当接面に連通孔が形成され、
隣接する２つの前記貯水タンクの前記連通孔に前記連結管が挿入され、前記当接面同士が当接された状態で、一方の前記貯水タンク内に前記連結管の軸方向の一端側部分が収納され、且つ他方の前記貯水タンク内に前記連結管の軸方向の残りの他端側部分が収納されるように設けたことを特徴とする雨水貯水設備。
【請求項２】
前記貯水タンクは、前記当接面を複数有し、複数の前記当接面は互いに異なる方向を向く面であることを特徴とする請求項１に記載の雨水貯水設備。
【請求項３】
複数の前記当接面は、少なくとも前記貯水タンクの上面と下面と側面とに設けられることを特徴とする請求項２に記載の雨水貯水設備。
【発明の詳細な説明】
【技術分野】
【０００１】
本発明は、樋を流れる雨水が貯められる雨水貯水設備に関するものである。
【背景技術】
【０００２】
特許文献１には、横並びの複数のタンクをパイプで連結した連結雨水タンクシステムが開示されている。
【先行技術文献】
【特許文献】
【０００３】
【特許文献１】実用新案登録第３１４５２７６号
【発明の概要】
【発明が解決しようとする課題】
【０００４】
特許文献１の雨水貯水タンクシステムでは、横並びのタンクを連結するパイプが露出している。つまり、特許文献１の雨水貯水タンクシステムでは、連結管をなすパイプ周りのスペースを、雨水を貯めるスペースとして有効に活用できていなかった。
【０００５】
また、特許文献１の雨水貯水タンクシステムは、横並びのタンク間に、パイプが露出するスペースが介在しているため、コンパクトにまとまって見えにくかった。
【０００６】
上記事情を鑑みて、本発明は、隣接するタンクを連結する連結管周りのスペースを、雨水を貯めるスペースとして有効に活用することができ、且つコンパクトにまとまった雨水貯水設備を提案することを課題とする。
【課題を解決するための手段】
【０００７】
上記課題を解決する本発明は、樋を流れる雨水が貯められる雨水貯水設備であって、複数の貯水タンクと、隣接する２つの前記貯水タンクを連結する連結管と、を備え、前記貯水タンクは、その外表面からなる当接面を有し、この当接面に連通孔が形成され、隣接する２つの前記貯水タンクの前記連通孔に前記連結管が挿入され、前記当接面同士が当接された状態で、一方の前記貯水タンク内に前記連結管の軸方向の一端側部分が収納され、且つ他方の前記貯水タンク内に前記連結管の軸方向の残りの他端側部分が収納されるように設けたことを特徴とする。
【０００８】
また、前記貯水タンクは、前記当接面を複数有し、複数の前記当接面は互いに異なる方向を向く面であることが好ましい。
【０００９】
また、複数の前記当接面は、少なくとも前記貯水タンクの上面と下面と側面とに設けられることが好ましい。
【発明の効果】
【００１０】
本発明の雨水貯水設備では、隣接する２つの貯水タンクの当接面同士を当接させた状態で、一方の貯水タンク内に連結管の軸方向の一端側部分が収納され、他方の貯水タンク内に連結管の軸方向の残りの他端側部分が収納されるようにしている。これにより、本発明の雨水貯水設備では、連結管が外部に露出せず、連結管周りのスペースを雨水を貯めるスペースとして有効に活用できる。また、本発明の雨水貯水設備は、連結した状態の隣接する２つの貯水タンク間に、連結管が露出するスペースが介在しないため、コンパクトにまとまった設備となっている。
【図面の簡単な説明】
【００１１】
【図１】本発明の実施形態の雨水貯水設備を示す分解斜視図である。
【図２】同上の雨水貯水設備を示し、（ａ）は側面図であり、（ｂ）は正面図である。
【図３】（ａ）（ｂ）は同上の雨水貯水設備の他の連結例を示す正面図である。
【発明を実施するための形態】
【００１２】
本発明を添付図面に示す実施形態に基づいて説明する。
【００１３】
図１に示す本発明の実施形態の雨水貯水設備は、樋を流れる雨水が貯められる設備であって、複数の貯水タンク１と、隣接する２つの貯水タンク１を連結する連結管２と、複数の止水栓３と、蛇口４とを備える。本実施形態の雨水貯水設備では、隣接する２つの貯水タンク１は、例えば図２（ａ）に示すように、その外表面同士を当接させた状態で連結管２によって連通する状態で連結される。つまり、貯水タンク１は、その外表面の一部からなる当接面５を有する。この当接面５には、連結管２が挿入される連通孔６が形成されている。
【００１４】
本実施形態では、貯水タンク１は、中空の略四角柱状である。以下では、図１の矢印Ｘ１が示す方向を右方向、矢印Ｘ２が示す方向を左方向、矢印Ｙ１が示す方向を前方向、矢印Ｙ２が示す方向を後方向、矢印Ｚ１が示す方向を上方向、矢印Ｚ２が示す方向を下方向として、各構成について説明する。
【００１５】
貯水タンク１は、その外表面のうち、上面１０と下面１１と左右の側面１２が当接面５となっている。言い換えると、貯水タンク１は当接面５を複数有し、複数の当接面５は互いに異なる方向を向く面である。以下では、必要に応じて、右方の側面１２を右面１２０といい、左側の側面１２を左面１２１という。
【００１６】
各当接面５には、連通孔６が形成されている。また、貯水タンク１の外表面のうち前面１３には、蛇口４または止水栓３が装着される吐出孔７が形成されている。なお、貯水タンク１の外表面のうち後面１４には、連通孔６も吐出孔７も形成されていない。
【００１７】
上面１０における連通孔６の配置と、下面１１における連通孔６の配置は、対応している。本実施形態では、上面１０及び下面１１には、その前後方向及び左右方向の中央部に連通孔６が形成されている。この上面１０及び下面１１に形成された連通孔６には、連結管２と止水栓３のうちの一方が装着される。
【００１８】
また、右面１２０における連通孔６の配置と、左面１２１における連通孔６の配置は、対応している。本実施形態では、右面１２０及び左面１２１には、その前後方向の中央部で且つ上端部に連通孔６が形成されている。両側面１２に形成された連通孔６には、連結管２、止水栓３、取水管８、オーバーフロー水排出管９（図２（ｂ）参照）のうちのいずれか１つが装着される。
【００１９】
取水管８は、その上流端部が、竪樋や軒樋等の樋に取り付けられた取水装置に連通する状態で接続される。そして、取水管８は、その下流端部が、側面１２に形成された連通孔６に連通する状態で接続される。つまり、取水管８は、樋を流れる雨水を取水して貯水タンク１に供給する雨水供給管である。
【００２０】
オーバーフロー水排出管９は、その上流端部が、側面１２に形成された連通孔６に連通する状態で接続される。そして、オーバーフロー水排出管９は、その下流端部は、例えば、竪樋のうち連通孔６よりも下方の箇所に連通する状態で接続される。つまり、オーバーフロー水排出管９は、貯水タンク１内に溜まった雨水のうち、連通孔６に達したオーバーフロー水を排水するための排出管である。
【００２１】
連通孔６は、貯水タンク１を内外に貫通する孔である。連通孔６の形状は、連結管２の形状と対応している。
【００２２】
本実施形態では、連結管２は、略円筒状であり、軸方向の中央部に大径部２０を有し、軸方向の両端部に小径部２１を有する。大径部２０の直径は、小径部２１の直径よりも大きい。これに対応して、連通孔６は、貯水タンク１の外表面側に大径孔部６０を有し、貯水タンク１の内表面側に小径孔部６１を有する。大径孔部６０と小径孔部６１とは、互いに連通する円孔である。大径孔部６０の直径は、小径孔部６１の直径よりも大きい。
【００２３】
連結管２は、隣接する２つの貯水タンク１を連通する状態で連結する連結手段をなす。本実施形態では、連結管２は、連通孔６に無理嵌めされるように設けられる。つまり、連結管２の大径部２０の外径は、連通孔６の大径孔部６０の内径と同じかそれよりも僅かに大きい。そして、連結管２の小径部２１の外径は、連通孔６の小径孔部６１の内径と同じかそれよりも僅かに大きい。これにより、連結管２の大径部２０が連通孔６の大径孔部６０に無理嵌めされ、且つ、連結管２の小径部２１が連通孔６の小径孔部６１に無理嵌めされる。なお、連結管２は、大径部２０と小径部２１のうち一方だけが連通孔６に無理嵌めされるように設けてもよい。本実施形態では、このように連結管２を連通孔６に無理嵌めされるように設けているため、連結管２は、隣接する２つの貯水タンク１を当接状態で固定する固定手段を兼ねている。
【００２４】
また、連通孔６の大径孔部６０の孔深さＬ１は、連結管２の大径部２０の軸方向の長さＬ２の半分である。そのため、隣接する２つの貯水タンク１の連通孔６に連結管２が挿入され、両貯水タンク１の当接面５同士が当接された状態で、連結管２の大径部２０の軸方向の各端面２００が、両貯水タンク１の連通孔６の大径孔部６０の底面６００にそれぞれ当接する。この当接状態において、連結管２の軸方向の半部（つまり連結管２の軸方向の一端側部分）が一方の貯水タンク１内に収納され、連結管２の軸方向の残りの半部（つまり連結管２の軸方向の残りの他端側部分）が他方の貯水タンク１内に収納される。本実施形態では、連結管２は、両連通孔６に無理嵌めされた状態で貯水タンク１内に収納される。なお、貯水タンク１内とは、貯水タンク１のうち外表面よりも内側の部位を意味する。
【００２５】
連通孔６に装着される止水栓３は、その外形状が、連結管２の軸方向の半部の外形状と同じである。詳しくは、止水栓３は、円盤状の頭部３０と円柱状の軸部３１とを有する。頭部３０の外径は、連結管２の大径部２０の外径と同じであり、連通孔６の大径孔部６０の内径と同じかそれよりも僅かに大きい。そして、軸部３１の外径は、連結管２の小径部２１の外径と同じであり、連通孔６の小径孔部６１の内径と同じかそれよりも僅かに大きい。これにより、止水栓３の頭部３０が連通孔６の大径孔部６０に無理嵌めされ、且つ、止水栓３の軸部３１が連通孔６の小径孔部６１に無理嵌めされる。なお、止水栓３は、頭部３０と軸部３１のうち一方だけが連通孔６に無理嵌めされるように設けてもよい。このように止水栓３を連通孔６に無理嵌めされるように設けることで、止水栓３は連通孔６を止水することができる。
【００２６】
本実施形態では、止水栓３の頭部３０の軸方向の長さＬ３は、連通孔６の大径孔部６０の孔深さＬ１と同じである。そのため、止水栓３を連通孔６に装着して、頭部３０の軸方向の円環状の端面３００を、連通孔６の大径孔部６０の底面６００に当接させた状態で、頭部３０の軸方向の円形の端面３０１は、貯水タンク１の外表面（上面１０や下面１１や側面１２）と面一となる（図２（ｂ）参照）。なお、止水栓３は、前記当接状態において、頭部３０の軸方向の端面３０１が、貯水タンク１の前記外表面より外側に位置するように形成されたものであってもよいし、前記外表面より内側に位置するように形成されたものであってもよい。
【００２７】
吐出孔７は、本実施形態では、連通孔６よりも一回り小さい同形状の孔である。吐出孔７は、貯水タンク１の外表面側に大径孔部７０を有し、貯水タンク１の内表面側に小径孔部７１を有する。大径孔部７０と小径孔部７１とは、互いに連通する円孔である。大径孔部７０は小径孔部７１よりも内径が大きい。
【００２８】
これに対応して、吐出孔７に装着される止水栓３は、本実施形態では、連通孔６に装着される止水栓３よりも一回り小さいものである。以下では、必要に応じて、連通孔６に装着される止水栓３を大止水栓３２といい、吐出孔７に装着される止水栓３を小止水栓３３という。
【００２９】
小止水栓３３は、頭部３３０と軸部３３１を有する。小止水栓３３の頭部３３０の外径は、吐出孔７の大径孔部７０の内径と同じかそれよりも若干大きい。また、小止水栓３３の軸部３３１の外径は、吐出孔７の小径孔部７１の内径と同じかそれよりも若干大きい。これにより、小止水栓３３の頭部３３０が吐出孔７の大径孔部７０に無理嵌めされ、且つ、小止水栓３３の軸部３３１が吐出孔７の小径孔部７１に無理嵌めされる。なお、止水栓３は、頭部３３０と軸部３３１のうち一方だけが吐出孔７に無理嵌めされるように設けてもよい。このように小止水栓３３を吐出孔７に無理嵌めされるように設けることで、小止水栓３３は吐出孔７を止水することができる。
【００３０】
また、小止水栓３３の頭部３３０の軸方向の長さＬ４は、吐出孔７の大径孔部７０の軸方向の長さＬ５よりも若干大きい。そのため、小止水栓３３を吐出孔７に装着して、頭部３３０の軸方向の円環状の端面を、吐出孔７の大径孔部７０の円環状の底面７００に当接させた状態で、頭部３３０軸方向の円形の端面３３２は、貯水タンク１の外表面（前面１３）よりも外側に位置する（図２（ａ）参照）。なお、小止水栓３３は、前記当接状態において、頭部３３０の軸方向の端面３３２が、貯水タンク１の前記外表面と面一となるように形成されたものであってもよいし、前記外表面よりも内側に位置するように形成されたものであってもよい。
【００３１】
なお、吐出孔７と連通孔６は同大同形であってもよく、その場合、大止水栓３２と小止水栓３３は同大同形に形成される。
【００３２】
蛇口４は、略Ｌ字の筒状であって、吐出口４０と、操作部４１と、差込部４２とを有する。差込部４２の外形状は、小止水栓３３の外形状と同じである。蛇口４は、操作部４１を回動操作することで、通水状態と止水状態とに切り替えることができる。
【００３３】
本実施形態の雨水貯水設備は、例えば、図２（ａ）に示すように、２つの貯水タンク１を上下に連結して形成される。以下では、必要に応じて、上側の配置される貯水タンク１を上タンク１００といい、下側に配置される貯水タンク１を下タンク１０１という。本実施形態の雨水貯水設備は、例えば以下のようにして組み立てられる。
【００３４】
まず、作業者は下タンク１０１の下面１１と右面１２０と左面１２１の連通孔６に大止水栓３２を装着して、これらの面にある各連通孔６を塞ぐ。またこのとき、作業者は、吐出孔７に蛇口４の差込部４２を差し込んで、この吐出孔７に蛇口４を装着する。次に、作業者は下タンク１０１の下面１１を地面に載置する。次に作業者は、下タンク１０１の上面１０の連通孔６に、連結管２を挿入して無理嵌めさせ、連結管２の軸方向の下半部（つまり連結管２の軸方向の一端側部分）を下タンク１０１内に収納する。
【００３５】
次に作業者は、上タンク１００の上面１０の連通孔６に大止水栓３２を装着して、この連通孔６を塞ぐ。またこのとき作業者は、吐出孔７に小止水栓３３を装着して、この吐出孔７を塞ぐ。次に作業者は、上タンク１００の下面１１からなる当接面５を、下タンク１０１の上面１０からなる当接面５に当接させる。このとき、作業者は、下タンク１０１から上方に突出する連結管２の軸方向の上半部（つまり連結管２の軸方向の残りの他端側部分）が上タンク１００の下面１１の連通孔６に挿入されるように、上タンク１００の当接面５を下タンク１０１の当接面５に当接させる。これにより、上タンク１００の下面１１の連通孔６に、連結管２が挿入されて無理嵌めされ、連結管２の軸方向の上半部が上タンク１００内に収納される。
【００３６】
次に作業者は、上タンク１００の一方の側面１２（例えば左面１２１）の連通孔６に、取水管８の下流端部を接続する。次に作業者は、上タンク１００の他方の側面１２（例えば右面１２０）の連通孔６にオーバーフロー水排出管９の上流端部を接続する。
【００３７】
以上のようにして組み立てられた本実施形態の雨水貯水設備では、上タンクの下面１１からなる当接面５と、下タンク１０１の上面１０からなる当接面５とが当接され、両タンク１００，１０１が連結管２によって連通する状態で連結され固定される。このとき、上タンク１００内に連結管２の上半部（つまり連結管２の軸方向の一端側部分）が収納され、下タンク１０１内に連結管２の下半部（つまり連結管２の軸方向の残りの他端側部分）が収納される。これにより、隣接する２つの貯水タンク１を連結する連結管２は、各貯水タンク１内に収納されて、外部に露出しない。
【００３８】
そのため、本実施形態の雨水貯水設備では、連結管２周りのスペースを雨水を貯めるスペースとして有効に活用できる。また、本実施形態の雨水貯水設備では、隣接する２つの貯水タンク１間に、連結管２が露出するスペースが介在しないため、コンパクトにまとまった設備となっている。
【００３９】
また、本実施形態の雨水貯水設備では、貯水タンク１を上下に並べて組み合わせるようにしたことで、設置スペースを抑えたうえで、貯水量を増やすことができる。そのため、本実施形態の雨水貯水設備は、例えば設置スペースを水平方向に広く取れない場合でも、設置することができる。
【００４０】
また、本実施形態の雨水貯水設備は、図３（ａ）に示す連結例のように、２つの貯水タンク１を左右に連結してもよいし、図３（ｂ）に示す連結例のように、４つの貯水タンク１を上下左右に連結してもよい。また、本実施形態の雨水貯水設備は、図示していないが、複数の貯水タンク１を、正面視Ｌ字状や正面視矩形環状に連結してもよい。いずれの連結例においても、隣接する２つの貯水タンク１の当接面５同士を当接させた状態で、一方の貯水タンク１内に連結管２の軸方向の一端側部分が収納され、他方の貯水タンク１内に連結管２の軸方向の残りの他端側部分が収納される。これにより、隣接する２つの貯水タンク１を連結する連結管２は、各貯水タンク１内に収納されて、外部に露出しない。
【００４１】
また、貯水タンク１は、その外表面のうち、前面１３と後面１４も当接面５となっていてもよい。その場合、前面１３及び後面１４には、対応する位置に連通孔６が形成される。例えば、前面１３及び後面１４には、その左右方向の中央部で且つ上端部に連通孔６が形成される。
【００４２】
また、上述した実施形態の雨水貯水設備は、隣接する２つの貯水タンク１の当接面５同士を当接させた状態において、隣接する２つの貯水タンク１内に連結管２の軸方向の半部ずつが収納されるものであったが、これに限定されない。つまり、雨水貯水設備は、前記当接状態において、両貯水タンク１内に連結管２の構成全体が収まるものであればよく、一方の貯水タンク１内に収納される連結管２の軸方向の長さが、他方の貯水タンク１内に収納される連結管２の軸方向の長さよりも大きくてもよい。言い換えると、前記当接状態において、一方の貯水タンク１内に収納される連結管２の軸方向の一端側部分は、連結管２の軸方向の一端部を含む部分であり、この部分の軸方向の長さは適宜設定可能である。そして、前記当接状態において、他方の貯水タンク１内に収納される連結管２の軸方向の残りの他端側部分は、連結管２の軸方向の他端部を含む部分であって、且つ、連結管２の構成全体のうち前記一端側部分を除いた部分である。
【００４３】
また、上述した実施形態では、貯水タンク１は、四角柱状であったが、三角柱状やｎ角柱状（ｎ≧５）であってもよい。
【００４４】
以上まとめると、本発明の実施形態の雨水貯水設備は、樋を流れる雨水が貯められる雨水貯水設備であって、複数の貯水タンク１と、隣接する２つの貯水タンク１を連結する連結管２と、を備える。貯水タンク１は、その外表面からなる当接面５を有し、この当接面５に連通孔６が形成される。そして、本発明の実施形態の雨水貯水設備は、隣接する２つの貯水タンク１の連通孔６に連結管２が挿入され、当接面５同士が当接された状態で、一方の貯水タンク１内に連結管２の軸方向の一端側部分が収納されるように設けている。そして、本発明の実施形態の雨水貯水設備は、前記当接状態で、他方の貯水タンク１内に連結管２の軸方向の残りの他端側部分が収納されるように設けている。
【００４５】
このように本発明の実施形態の雨水貯水設備では、隣接する２つの貯水タンク１の当接面５同士を当接させた状態で、一方の貯水タンク１内に連結管２の軸方向の一端側部分を収納し、他方の貯水タンク１内に連結管２の軸方向の残りの他端側部分を収納している。これにより、本発明の実施形態の雨水貯水設備では、連結管２が外部に露出せず、連結管２周りのスペースを雨水を貯めるスペースとして有効に活用できる。また、本発明の実施形態の雨水貯水設備では、隣接する２つの貯水タンク１間に、連結管２が露出するスペースが介在しないため、コンパクトにまとまった設備となっている。
【００４６】
また、本発明の実施形態の雨水貯水設備では、貯水タンク１は、当接面５を複数有し、複数の当接面５は互いに異なる方向を向く面であることが好ましい。
【００４７】
このような構成とすることで、本発明の実施形態の雨水貯水設備では、隣接する２つの貯水タンク１の当接面５同士を当接させる際に、互いに異なる方向を向く複数の当接面５の中から、当接させる当接面５を選択することができる。そのため、本発明の実施形態の雨水貯水設備では、複数の貯水タンク１を設置環境等に対応した適切な配置で連結することができる。
【００４８】
また、本発明の実施形態の雨水貯水設備では、複数の当接面５は、少なくとも貯水タンク１の上面１０と下面１１と側面１２に設けられることが好ましい。
【００４９】
このような構成とすることで、本発明の実施形態の雨水貯水設備では、設置環境等に対応して、複数の貯水タンク１を縦方向と横方向とに自在に連結することができる。例えば、本発明の実施形態の雨水貯水設備では、縦方向に連結する貯水タンク１の数と、横方向に連結する貯水タンク１の数を適宜選択でき、設置箇所の空きスペースに対応した最適なレイアウトにすることができる。
【００５０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５１】
１      貯水タンク
２      連結管
５      当接面
６      連通孔
１０    上面
１１    下面
１２    側面
【図１】
2014221974.tif 000003
【図２】
2014221974.tif 000004
【図３】
2014221974.tif 000005